(57)【要約】  紙幣１枚投入仕様と紙幣一括投入仕様とに変更可能で、紙幣１枚投入仕様の状態を確実に維持できる紙幣処理装置11を提供する。  入金口13aの投入紙幣厚さ方向の開口寸法を紙幣１枚投入用開口寸法と紙幣一括投入用開口寸法とに変更する開口規制部材37を備える。固定手段41により、開口規制部材37を紙幣１枚投入用開口寸法位置に固定し、開口規制部材37の紙幣一括投入用開口寸法位置への変更を規制する。操作に慣れない操作者の場合には、紙幣１枚投入仕様として入金時の紙幣詰まりの発生を低減する。紙幣補充を行う操作に慣れた操作者の場合には、紙幣一括投入仕様として紙幣補充時の効率を高める。
2008139584.tif 000002
【特許請求の範囲】
【請求項１】
紙幣処理装置において、
紙幣を複数枚一括投入可能な入金口と、
この入金口の投入紙幣厚さ方向の開口寸法を少なくとも紙幣１枚投入用開口寸法と紙幣一括投入用開口寸法とに変更する開口規制部材と、
この開口規制部材を少なくとも紙幣１枚投入用開口寸法位置に固定可能とする固定手段と
を具備したことを特徴とする紙幣処理装置。
【請求項２】
前記固定手段は、前記開口規制部材を少なくとも紙幣１枚投入用開口寸法位置に固定可能とする錠手段と、この錠手段を固定状態および固定解除状態に操作する鍵手段とを備えた
ことを特徴とする請求項１記載の紙幣処理装置。
【請求項３】
前記固定手段は、紙幣一括投入の権限を有する操作者であるか確認する権限確認手段により紙幣一括投入の権限を有する操作者と確認された場合に、前記開口規制部材の固定を解除して前記開口規制部材の位置を紙幣一括投入用開口寸法位置へ変更可能とする
ことを特徴とする請求項１記載の紙幣処理装置。
【請求項４】
前記固定手段は、紙幣一括投入の権限を有する操作者であるか確認する権限確認手段により紙幣一括投入の権限を有する操作者と確認された後、紙幣一括投入を指示する操作部の操作がなされた場合に、前記開口規制部材の固定を解除して前記開口規制部材の位置を紙幣一括投入用開口寸法位置へ変更可能とする
ことを特徴とする請求項１記載の紙幣処理装置。
【請求項５】
前記開口規制部材は、前記紙幣１枚投入用開口寸法位置と紙幣一括投入用開口寸法位置との間で移動可能に設けられ、
前記固定手段は、前記開口規制部材を紙幣１枚投入用開口寸法位置に固定可能とする固定部材、およびこの固定部材を開口規制部材の固定位置および固定解除位置に移動させる駆動手段を備えた
ことを特徴とする請求項３または４記載の紙幣処理装置。
【請求項６】
前記入金口に投入された紙幣を１枚ずつ分離して搬送部に送り出す繰出機構と、
前記開口規制部材が紙幣１枚投入用開口寸法位置にあることを検知する開口規制部材位置検知手段と、
紙幣一括投入の権限を有する操作者であるか確認する権限確認手段により紙幣一括投入の権限を有しない操作者と確認された場合には、前記開口規制部材位置検知手段が前記開口規制部材を検知していれば前記繰出機構を動作させ、前記開口規制部材位置検知手段が前記開口規制部材を検知していなければ前記繰出機構を動作させない制御手段とを具備した
ことを特徴とする請求項２または５記載の紙幣処理装置。
【請求項７】
前記開口規制部材は、前記入金口の投入紙幣厚さ方向に移動可能とし、
前記固定手段は、前記開口規制部材を前記入金口の投入紙幣厚さ方向に移動させる駆動手段を備え、
この駆動手段を制御して前記開口規制部材を少なくとも紙幣１枚投入用開口寸法位置と紙幣一括投入用開口寸法位置とに移動させる制御手段を具備した
ことを特徴とする請求項３または４記載の紙幣処理装置。
【請求項８】
前記入金口に投入された紙幣を検知する紙幣投入検知手段と、
前記入金口に投入された紙幣を１枚ずつ分離して搬送部に送り出す繰出機構と、
この繰出機構で搬送部に送り出された紙幣の通過を検知する紙幣通過検知手段と、
紙幣一括投入の権限を有する操作者であるか確認する権限確認手段により紙幣一括投入の権限を有する操作者と確認された場合には、前記繰出機構を動作させるとともに前記紙幣投入検知手段が紙幣を検知しなくなるまで前記繰出機構を動作させ、紙幣一括投入の権限を有しない操作者と確認された場合には、前記繰出機構を動作させるとともに前記紙幣通過検知手段が１枚の紙幣の通過を検知したら前記繰出機構の動作を停止させる制御手段とを具備した
ことを特徴とする請求項１記載の紙幣処理装置。
【請求項９】
紙幣処理装置であって、
紙幣を複数枚一括投入可能な入金口と、
この入金口に投入された紙幣を検知する紙幣投入検知手段と、
前記入金口に投入された紙幣を１枚ずつ分離して搬送部に送り出す繰出機構と、
この繰出機構から搬送部に送り出された紙幣の通過を検知する紙幣通過検知手段と、
紙幣一括投入の権限を有する操作者であるか確認する権限確認手段により紙幣一括投入の権限を有する操作者と確認された場合には、前記繰出機構を動作させるとともに前記紙幣投入検知手段が紙幣を検知しなくなるまで前記繰出機構を動作させ、紙幣一括投入の権限を有しない操作者と確認された場合には、前記繰出機構を動作させるとともに前記紙幣通過検知手段が１枚の紙幣の通過を検知したら前記繰出機構の動作を停止させる制御手段と
を具備したことを特徴とする紙幣処理装置。
【請求項１０】
前記制御手段は、前記権限確認手段により紙幣一括投入の権限を有しない操作者と確認された場合に、前記紙幣通過検知手段が紙幣の通過を検知して前記繰出機構の動作を停止した後、前記紙幣投入検知手段が紙幣を検知しなくなってから再び前記紙幣投入検知手段が紙幣を検知すれば繰出機構を動作させる
ことを特徴とする請求項８または９記載の紙幣処理装置。
【発明の詳細な説明】
【技術分野】
【０００１】
本発明は、入金口への紙幣の１枚投入および複数枚一括投入が可能な紙幣処理装置に関する。
【背景技術】
【０００２】
従来、例えば、ＰＯＳレジスタなどに接続して自動的に紙幣を入出金するとともに、特定の係員によって補充紙幣が投入される、いわゆる紙幣レジ釣銭機などに用いられる紙幣処理装置がある。【０００３】
このような紙幣処理装置においては、入金紙幣を投入する入金口を、補充紙幣を投入して補充する補充口として利用しており（例えば、特許文献１参照。）、さらに、作業効率を高めるために紙幣を複数枚一括投入して処理できるようにしている。このようにすると（操作に慣れた操作者の場合に）、複数枚の補充紙幣を一括投入しながら並行して他の作業を行うことができる。【０００４】
しかしながら、紙幣を複数枚一括投入して処理可能な紙幣処理装置とすると、操作に慣れない操作者の場合に、複数枚の紙幣をきちんと揃えずに一括投入した際、紙幣処理装置内の繰出機構や搬送機構で紙幣詰まりが発生しやすい。特に、ユーロ紙幣や中国紙幣などの金種により大きさの違いが極めて大きい紙幣を取り扱うときには、複数枚重なった状態で大きい紙幣に隠れた小さい紙幣の向きが揃わない場合があり、このような状態の紙幣を入金口に複数枚一括投入すると、小さい紙幣が斜めに取り込まれるため、紙幣処理装置内の繰出機構や搬送機構で紙幣詰まりが発生しやすい。【０００５】
また、紙幣詰まりの発生を防止するため、紙幣の投入枚数を１枚ずつに制限する仕様とすることも考えられる。例えば、投入された紙幣厚さを検知して規定外の厚みのときは返却することもできる（例えば、特許文献２参照。）。【０００６】
しかしながら、紙幣の投入枚数を１枚ずつに限定してしまうと、まとまった数の紙幣を投入する紙幣補充時に非常に時間がかかってしまう。【０００７】
そこで、入金口に開口規制部材を回動可能に設けて入金口の大きさを操作者が任意に変更可能とし、操作に慣れない操作者の場合には入金口を狭くして紙幣を１枚ずつ投入させ、操作に慣れた操作者の場合には入金口を広くして紙幣を複数枚一括投入可能とすることにより、操作に慣れない操作者が紙幣を複数枚一括投入することによる紙幣詰まりの発生の防止と、操作に慣れた操作者が紙幣を複数枚一括投入することによる補充作業の効率化とを両立させている（例えば、特許文献３参照。）。
【特許文献１】特開平１０−４９７５３号公報（第５頁、図３）
【特許文献２】特開２００２−３２８１６号公報（第４頁、図１）
【特許文献３】特開２００６−２３６１０８号公報（第５頁、図４）
【発明の開示】
【発明が解決しようとする課題】
【０００８】
上述の特許文献３の技術を用いることにより、通常の入金では紙幣の１枚投入を促し、紙幣補充を行うときには複数枚一括投入の仕様とする使い分けが可能となる。【０００９】
しかしながら、入金口の大きさを変更する開口規制部材は自由に回動可能で、誰でも開口規制部材を持ち上げて複数枚一括投入の仕様とすることができてしまうため、操作に慣れない操作者が紙幣の複数枚一括投入をするなどによる紙幣詰まりを完全に防ぐことができない。【００１０】
本発明は、このような点に鑑みなされたもので、紙幣一括投入仕様による作業効率を保ちつつ、紙幣つまりを確実に防止できる紙幣処理装置を提供することを目的とする。
【課題を解決するための手段】
【００１１】
請求項１記載の紙幣処理装置は、紙幣処理装置において、紙幣を複数枚一括投入可能な入金口と、この入金口の投入紙幣厚さ方向の開口寸法を少なくとも紙幣１枚投入用開口寸法と紙幣一括投入用開口寸法とに変更する開口規制部材と、この開口規制部材を少なくとも紙幣１枚投入用開口寸法位置に固定可能とする固定手段とを具備したものである。【００１２】
請求項２記載の紙幣処理装置は、請求項１記載の紙幣処理装置において、前記固定手段は、前記開口規制部材を少なくとも紙幣１枚投入用開口寸法位置に固定可能とする錠手段と、この錠手段を固定状態および固定解除状態に操作する鍵手段とを備えたものである。【００１３】
請求項３記載の紙幣処理装置は、請求項１記載の紙幣処理装置において、前記固定手段は、紙幣一括投入の権限を有する操作者であるか確認する権限確認手段により紙幣一括投入の権限を有する操作者と確認された場合に、前記開口規制部材の固定を解除して前記開口規制部材の位置を紙幣一括投入用開口寸法位置へ変更可能とするものである。【００１４】
請求項４記載の紙幣処理装置は、請求項１記載の紙幣処理装置において、前記固定手段は、紙幣一括投入の権限を有する操作者であるか確認する権限確認手段により紙幣一括投入の権限を有する操作者と確認された後、紙幣一括投入を指示する操作部の操作がなされた場合に、前記開口規制部材の固定を解除して前記開口規制部材の位置を紙幣一括投入用開口寸法位置へ変更可能とするものである。【００１５】
請求項５記載の紙幣処理装置は、請求項３または４記載の紙幣処理装置において、前記開口規制部材は、前記紙幣１枚投入用開口寸法位置と紙幣一括投入用開口寸法位置との間で移動可能に設けられ、前記固定手段は、前記開口規制部材を紙幣１枚投入用開口寸法位置に固定可能とする固定部材、およびこの固定部材を開口規制部材の固定位置および固定解除位置に移動させる駆動手段を備えたものである。【００１６】
請求項６記載の紙幣処理装置は、請求項２または５記載の紙幣処理装置において、前記入金口に投入された紙幣を１枚ずつ分離して搬送部に送り出す繰出機構と、前記開口規制部材が紙幣１枚投入用開口寸法位置にあることを検知する開口規制部材位置検知手段と、紙幣一括投入の権限を有する操作者であるか確認する権限確認手段により紙幣一括投入の権限を有しない操作者と確認された場合には、前記開口規制部材位置検知手段が前記開口規制部材を検知していれば前記繰出機構を動作させ、前記開口規制部材位置検知手段が前記開口規制部材を検知していなければ前記繰出機構を動作させない制御手段とを具備したものである。【００１７】
請求項７記載の紙幣処理装置は、請求項３または４記載の紙幣処理装置において、前記開口規制部材は、前記入金口の投入紙幣厚さ方向に移動可能とし、前記固定手段は、前記開口規制部材を前記入金口の投入紙幣厚さ方向に移動させる駆動手段を備え、この駆動手段を制御して前記開口規制部材を少なくとも紙幣１枚投入用開口寸法位置と紙幣一括投入用開口寸法位置とに移動させる制御手段を具備したものである。【００１８】
請求項８記載の紙幣処理装置は、請求項１記載の紙幣処理装置において、前記入金口に投入された紙幣を検知する紙幣投入検知手段と、前記入金口に投入された紙幣を１枚ずつ分離して搬送部に送り出す繰出機構と、この繰出機構で搬送部に送り出された紙幣の通過を検知する紙幣通過検知手段と、紙幣一括投入の権限を有する操作者であるか確認する権限確認手段により紙幣一括投入の権限を有する操作者と確認された場合には、前記繰出機構を動作させるとともに前記紙幣投入検知手段が紙幣を検知しなくなるまで前記繰出機構を動作させ、紙幣一括投入の権限を有しない操作者と確認された場合には、前記繰出機構を動作させるとともに前記紙幣通過検知手段が１枚の紙幣の通過を検知したら前記繰出機構の動作を停止させる制御手段とを具備したものである。【００１９】
請求項９記載の紙幣処理装置は、紙幣処理装置であって、紙幣を複数枚一括投入可能な入金口と、この入金口に投入された紙幣を検知する紙幣投入検知手段と、前記入金口に投入された紙幣を１枚ずつ分離して搬送部に送り出す繰出機構と、この繰出機構から搬送部に送り出された紙幣の通過を検知する紙幣通過検知手段と、紙幣一括投入の権限を有する操作者であるか確認する権限確認手段により紙幣一括投入の権限を有する操作者と確認された場合には、前記繰出機構を動作させるとともに前記紙幣投入検知手段が紙幣を検知しなくなるまで前記繰出機構を動作させ、紙幣一括投入の権限を有しない操作者と確認された場合には、前記繰出機構を動作させるとともに前記紙幣通過検知手段が１枚の紙幣の通過を検知したら前記繰出機構の動作を停止させる制御手段とを具備したものである。【００２０】
請求項１０記載の紙幣処理装置は、請求項８または９記載の紙幣処理装置において、前記制御手段は、前記権限確認手段により紙幣一括投入の権限を有しない操作者と確認された場合に、前記紙幣通過検知手段が紙幣の通過を検知して前記繰出機構の動作を停止した後、前記紙幣投入検知手段が紙幣を検知しなくなってから再び前記紙幣投入検知手段が紙幣を検知すれば繰出機構を動作させるものである。
【発明の効果】
【００２１】
請求項１記載の紙幣処理装置によれば、入金口の投入紙幣厚さ方向の開口寸法を少なくとも紙幣１枚投入用開口寸法と紙幣一括投入用開口寸法とに変更する開口規制部材を、固定手段により少なくとも紙幣１枚投入用開口寸法位置に固定可能とするため、開口規制部材の紙幣一括投入用開口寸法位置への変更を確実に規制でき、これにより、例えば、操作に慣れない操作者の場合には紙幣１枚投入仕様として入金時の紙幣詰まりの発生を低減するとともに、紙幣補充などを行う操作に慣れた操作者の場合には紙幣一括投入仕様として紙幣補充時の効率を高めることができる。【００２２】
請求項２記載の紙幣処理装置によれば、請求項１記載の紙幣処理装置の効果に加えて、固定手段は、開口規制部材を少なくとも紙幣１枚投入用開口寸法位置に固定可能とする錠手段、およびこの錠手段を固定状態および固定解除状態に操作する鍵手段を備えることにより、紙幣一括投入の権限を有する操作者のみが鍵手段を用いて開口規制部材の位置を変更できる。【００２３】
請求項３記載の紙幣処理装置によれば、請求項１記載の紙幣処理装置の効果に加えて、紙幣一括投入の権限を有する操作者であるか確認する権限確認手段により紙幣一括投入の権限を有する操作者と確認された場合に、固定手段が開口規制部材の固定を解除して開口規制部材の位置を紙幣一括投入用開口寸法位置へ変更可能とするため、紙幣一括投入の権限を有する操作者のみが開口規制部材の位置を変更できる。【００２４】
請求項４記載の紙幣処理装置によれば、請求項１記載の紙幣処理装置の効果に加えて、紙幣一括投入の権限を有する操作者であるか確認する権限確認手段により紙幣一括投入の権限を有する操作者と確認された後、紙幣一括投入を指示する操作部の操作がなされた場合に、固定手段が開口規制部材の固定を解除して開口規制部材の位置を紙幣一括投入用開口寸法位置へ変更可能とするため、紙幣一括投入の権限を有する操作者のみが開口規制部材の位置を変更できる。【００２５】
請求項５記載の紙幣処理装置によれば、請求項３または４記載の紙幣処理装置の効果に加えて、固定手段は、開口規制部材を紙幣１枚投入用開口寸法位置に固定可能とする固定部材、およびこの固定部材を開口規制部材の固定位置および固定解除位置に移動させる駆動手段を備えることにより、紙幣一括投入の権限を有する操作者と確認された場合に、開口規制部材を紙幣１枚投入用開口寸法位置に対して自動的に固定および固定解除できる。【００２６】
請求項６記載の紙幣処理装置によれば、請求項２または５記載の紙幣処理装置の効果に加えて、紙幣一括投入の権限を有する操作者であるか確認する権限確認手段により紙幣一括投入の権限を有しない操作者と確認された場合、開口規制部材位置検知手段により開口規制部材が紙幣１枚投入用開口寸法位置にあることを検知していれば、繰出機構を動作させて１枚の紙幣を搬送部に送り出し、また、開口規制部材位置検知手段により開口規制部材が紙幣１枚投入用開口寸法位置にあることを検知していなければ、繰出機構を動作させず、紙幣一括投入による紙幣詰まりの発生を防止できる。【００２７】
請求項７記載の紙幣処理装置によれば、請求項３または４記載の紙幣処理装置の効果に加えて、固定手段は、開口規制部材を少なくとも紙幣１枚投入用開口寸法位置と紙幣一括投入用開口寸法位置とに移動させる駆動手段を備えることにより、紙幣一括投入の権限を有する操作者と確認された場合に、開口規制部材の位置を自動的に変更できる。【００２８】
請求項８記載の紙幣処理装置によれば、請求項１記載の紙幣処理装置の効果に加えて、紙幣一括投入の権限を有する操作者であるか確認する権限確認手段により紙幣一括投入の権限を有する操作者と確認された場合には、繰出機構を動作させて入金口に投入された紙幣を１枚ずつ分離して搬送部に送り出すとともに、入金口に紙幣が複数枚一括投入されていれば入金口の紙幣投入検知手段で紙幣を検知しなくなるまで繰出機構を継続して動作させ、また、紙幣一括投入の権限を有しない操作者と確認された場合には、繰出機構を動作させて入金口に投入された紙幣を１枚分離して搬送部に送り出すとともに、搬送部の紙幣通過検知手段が１枚の紙幣の通過を検知したら繰出機構の動作を停止させることにより、入金口に紙幣が複数枚一括投入されていても１枚の紙幣のみを搬送部に送り出すことができる。【００２９】
請求項９記載の紙幣処理装置によれば、紙幣一括投入の権限を有する操作者であるか確認する権限確認手段により紙幣一括投入の権限を有する操作者と確認された場合には、繰出機構を動作させて入金口に投入された紙幣を１枚ずつ分離して搬送部に送り出すとともに、入金口に紙幣が複数枚一括投入されていれば入金口の紙幣投入検知手段で紙幣を検知しなくなるまで繰出機構を継続して動作させ、また、紙幣一括投入の権限を有しない操作者と確認された場合には、繰出機構を動作させて入金口に投入された紙幣を１枚分離して搬送部に送り出すとともに、搬送部の紙幣通過検知手段が１枚の紙幣の通過を検知したら繰出機構の動作を停止させることにより、入金口に紙幣が複数枚一括投入されていても１枚の紙幣のみを搬送部に送り出すことができ、これにより、例えば、操作に慣れない操作者の場合には紙幣１枚投入仕様として入金時の紙幣詰まりの発生を低減するとともに、紙幣補充などを行う操作に慣れた操作者の場合には紙幣一括投入仕様として紙幣補充時の効率を高めることができる。【００３０】
請求項１０記載の紙幣処理装置によれば、請求項８または９記載の紙幣処理装置の効果に加えて、権限確認手段により紙幣一括投入の権限を有しない操作者と確認された場合に、搬送部の紙幣通過検知手段が紙幣の通過を検知して繰出機構の動作を停止した後、操作者が入金口に残る紙幣を取り出して紙幣投入検知手段が紙幣を検知しなくなってから、再び操作者が入金口に紙幣を投入して紙幣投入検知手段が紙幣を検知すれば、繰出機構を動作させるため、紙幣の再投入によってさらに１枚の紙幣を搬送部に送り出すことができる。
【図面の簡単な説明】
【００３１】
【図１】本発明の紙幣処理装置の第１の実施の形態を示し、(a)は入金口から開口規制部材が外された状態の斜視図、(b)は開口規制部材を紙幣１枚投入用開口寸法位置に固定した状態の斜視図である。
【図２】同上開口規制部材の平面図である。
【図３】同上紙幣処理装置の繰出機構および搬送部を示す側面図である。
【図４】同上紙幣処理装置の斜視図である。
【図５】同上紙幣処理装置の構成図である。
【図６】同上紙幣処理装置のブロック図である。
【図７】本発明の紙幣処理装置の第２の実施の形態を示す入金口から開口規制部材を開いた状態の斜視図である。
【図８】本発明の紙幣処理装置の第３の実施の形態を示し、(a)は開口規制部材を紙幣１枚投入用開口寸法位置に固定した状態の側面図、(b)は開口規制部材を紙幣一括投入用開口寸法位置に移動させた状態の側面図である。
【図９】本発明の紙幣処理装置の第４の実施の形態を示し、(a)は開口規制部材を紙幣１枚投入用開口寸法位置に固定した状態の側面図、(b)は開口規制部材を紙幣一括投入用開口寸法位置に移動させた状態の側面図である。
【図１０】本発明の紙幣処理装置の第５の実施の形態を示す繰出機構および搬送部を示す側面図である。
【図１１】本発明の紙幣処理装置の第６の実施の形態を示す入金口付近の斜視図である。
【図１２】同上入金口付近の側面図である。
【符号の説明】
【００３２】
11    紙幣処理装置
13a   入金口
15    操作部
18    搬送部
21    制御手段としての制御部
23    権限確認手段
29    繰出機構
32    紙幣投入検知手段としての投入センサ
33    紙幣通過検知手段としての通過センサ
37    開口規制部材
41    固定手段
42    錠手段
43    鍵手段
46    固定部材
64    駆動手段としてのソレノイド
65    固定部材
71    駆動手段としてのモータ
【発明を実施するための最良の形態】
【００３３】
以下、本発明の実施の形態を、図面を参照して説明する。【００３４】
図１ないし図６に第１の実施の形態を示す。【００３５】
図５に示すように、紙幣処理装置11は、例えば、ＰＯＳレジスタなどに接続して自動的に紙幣を入出金するとともに、特定の係員によって補充紙幣が投入される、いわゆる紙幣レジ釣銭機などである。【００３６】
紙幣処理装置11の機体12の前面側に、入金紙幣や補充紙幣を複数枚一括投入可能な入金部13、紙幣を出金する出金部14、操作者により所定の操作をする操作部15が配設されている。さらに、例えば出金時などに識別されたリジェクト紙幣を収納するリジェクトボックス16、および機体12内から回収する紙幣を収納する回収カセット17がそれぞれ機体12から引き出し可能に配設されている。【００３７】
機体12内には、紙幣を搬送する搬送部18が形成され、この搬送部18に紙幣の真偽や金種を識別する識別部19が配設されている。【００３８】
搬送部18は、入金部13から１枚ずつ分離されて取り込まれる紙幣を搬送し、出金部14、リジェクトボックス16および回収カセット17に対して該当する紙幣を搬送する。【００３９】
機体12内には金種別に紙幣を収納する金種別の収納庫20が配設され、これら各収納庫20と搬送部18との間で紙幣を出し入れ可能としている。【００４０】
紙幣処理装置11は、この紙幣処理装置11を制御する制御手段としての制御部21を備え、この制御部21は、ＰＯＳレジスタなどの上位機22に接続され、この上位機22からの指令で制御する。上位機22には、操作者の権限を確認する権限確認手段23が接続されている。この権限確認手段23は、暗証番号やパスワードなどの知識確認と、モード変換鍵、磁気カード、ＩＣカードなどの所有物確認と、指紋や顔などの身体認識、署名や音声などの行動的認識を含む生体確認とが含まれる。【００４１】
また、図４に示すように、紙幣処理装置11の機体12は縦型に構成され、その機体12の前面側には上部側から順に入金部13、出金部14、モードキー24および回収カセット17などがそれぞれ配設されている。この機体12の前面側に配設される前面部分および機体12内に配置される機構などを含む引出ユニットが、機体12に対して前方へ引出可能に構成されている。【００４２】
入金部13には入金紙幣や補充紙幣を複数枚一括投入可能な入金口13aが形成され、出金部14には紙幣を出金する出金口14aが形成されている。【００４３】
モードキー24は、権限を有する操作者や管理者などが使用する鍵で操作されるもので、通常の取引を行うオペレーションモード、紙幣の回収などを行う管理モード、機体12からの引出ユニットの引き出しや障害復旧を行うメンテナンスモードなどに切換可能とする。そして、このモードキー24をメンテナンスモードとし、引出ユニットを機体12から引き出すことにより、引出ユニットの側面からリジェクトボックス16の着脱や紙幣詰まりなどの解消を可能としている。【００４４】
回収カセット17は、機体12に対して前方へ引出可能であるとともに機体12に装着した状態で図示しない施錠機構により自動的に施錠、解錠される。そして、通常、回収カセット17は機体12に対して施錠されており、また、管理モードでの回収時に、回収カセット17が回収紙幣で満杯になった際、もしくは紙幣の回収が終了した際に、回収カセット17が解錠されて引出可能とする。【００４５】
機体12の上面には入金部13の後側位置に操作部15が配設され、この操作部15には各種の操作ボタン15aや表示部15bが設けられている。【００４６】
また、図１および図３に示すように、入金部13には、底面部25、およびこの底面部25の両側から立ち上がった両側の側面部26を有する入金口部27が形成され、この入金口部27の前面および上面が開口形成され、紙幣の長手方向を投入方向として紙幣を投入可能としている。【００４７】
入金口13aに接続された搬送部18の入口部には、底面部25の上方に対向する上面ガイド28が配設されている。この上面ガイド28は、底面部25との間の投入紙幣厚さ方向の間隔が、入金口13a側においては紙幣を複数枚一括投入可能に広く形成され、その奥側においては狭く形成されている。【００４８】
底面部25と上面ガイド28との投入紙幣厚さ方向の間隔が狭くなる位置付近に、入金口13aに投入された紙幣を１枚ずつ分離して搬送部18内に送り出す繰出機構29が配設されている。この繰出機構29は、底面部25側に配設されて底面部25に載る最下位の紙幣を搬送部18内に繰り出す繰出ローラ30、および上面ガイド28側に配設されて繰り出される最下位の紙幣により上層の紙幣が連れ出されるのを規制する逆転ローラ31を備えている。【００４９】
入金部13には、入金口13aに投入された紙幣を検知する紙幣投入検知手段としての投入センサ32が配設されている。搬送部18には、繰出機構29で搬送部18内に１枚ずつ繰り出された紙幣の通過を検知する紙幣通過検知手段としての通過センサ33が配設されている。【００５０】
また、図１および図２に示すように、入金部13には開口規制部材37が着脱可能としており、この開口規制部材37が入金部13に装着されることにより入金口13aの投入紙幣厚さ方向の開口寸法が紙幣１枚投入用開口寸法となり、開口規制部材37が入金部13から外されることにより入金口13aの投入紙幣厚さ方向の開口寸法が紙幣一括投入用開口寸法となる。この開口規制部材37は、四角形箱状に形成され、その両側部が入金口部27の両側の側面部26に形成された溝部38に上方から着脱可能に装着される。この開口規制部材37は、入金口部27の溝部38に装着された状態で、紙幣１枚投入用開口寸法位置に位置し、開口規制部材37の下面に形成されたガイド面39と底面部25との間の間隔が紙幣１枚投入用開口寸法となる。ガイド面39の前側には投入される紙幣をガイド面39の下側に導く傾斜面40が形成されている。【００５１】
そして、この開口規制部材37を紙幣１枚投入用開口寸法位置に固定する固定手段41を備えている。この固定手段41は、開口規制部材37を機体12側の入金口部27に対して紙幣１枚投入用開口寸法位置に固定可能とする錠手段42、およびこの錠手段42を固定状態および固定解除状態に操作する鍵手段43を備えている。【００５２】
錠手段42は、開口規制部材37の上部中央に配設された錠本体44を有し、この錠本体44は対応する鍵手段43が挿脱可能に差し込まれて固定位置と固定解除位置との間で回動操作可能としている。開口規制部材37の内部で、錠本体44の位置には、この錠本体44の固定位置および固定解除位置への回動操作に対応して揺動するレバー45が配設され、さらに、開口規制部材37の両側位置には、開口規制部材37の側面から出没可能とする両側の固定部材46が配設され、これらレバー45の両端と各固定部材46とがそれぞれリンク47を介して連結されている。各固定部材46は、開口規制部材37側に設けられた複数のピン48に固定部材46に形成された複数の長孔49が係合されており、錠本体44の固定位置および固定解除位置への回動に連動して、開口規制部材37の側面から突出する固定位置と開口規制部材37の側面に埋没する固定解除位置との間でスライド可能としている。【００５３】
鍵手段43は、紙幣一括投入の権限を有する操作者や管理者などが使用する。【００５４】
また、入金口部27の両側の溝部38の内側面壁には、これら溝部38に開口規制部材37の両側が嵌め込まれた紙幣一括投入用開口寸法位置で、開口規制部材37の両側面から出没する各固定部材46が進退可能な固定溝50がそれぞれ形成されている。【００５５】
また、開口規制部材37が紙幣１枚投入用開口寸法位置にあることを検知する図示しない開口規制部材位置検知手段を備えている。【００５６】
また、図６に示すように、制御部21は、紙幣を収納する機構などを含む各収納庫20、搬送機構を含む搬送部18、紙幣を識別する識別部19、押下操作されるスイッチなどを含む操作部15、繰出機構や各センサ32，33などを含む入金部13、紙幣を払い出す機構や払い出された紙幣を検知するセンサなどを含む出金部14、リジェクトボックス16の装着検知やリジェクトボックス16にリジェクト紙幣を送り込む機構などを含むリジェクト部53、回収カセット17の装着検知や回収カセット17に回収紙幣を送り込む機構などを含む回収部54がそれぞれ接続され、これらを含む紙幣処理装置11全体を制御する。【００５７】
そして、制御部21は、紙幣一括投入の権限を有する操作者であるか確認する権限確認手段23により紙幣一括投入の権限を有しない操作者と確認された場合には、図示しない開口規制部材位置検知手段が開口規制部材37を検知していれば繰出機構29（図３参照）を動作させ、図示しない開口規制部材位置検知手段が開口規制部材37を検知していなければ繰出機構29（図３参照）を動作させないように制御する機能を有している。【００５８】
次に、本実施の形態の紙幣処理装置11の動作を説明する。【００５９】
まず、紙幣処理装置11の基本動作について図５を参照して説明する。【００６０】
入金時においては、入金部13に紙幣が投入されたことを投入センサ32で検知すると、制御部21の制御により、繰出機構29（図３参照）が動作して入金部13に投入された紙幣を１枚ずつ分離して搬送部18に繰り出し、搬送部18内の紙幣を搬送する。【００６１】
搬送部18内を搬送する紙幣を識別部19で識別し、制御部21の制御により、正常紙幣と識別された紙幣は該当する金種の収納庫20に収納し、リジェクト紙幣と識別された紙幣は出金部14に搬送して返却する。【００６２】
識別部19で識別した入金額のデータは上位機22に送信する。【００６３】
また、出金時においては、制御部21の制御により、上位機22から出金を指令された金額分の紙幣を収納庫20から１枚ずつ搬送部18に繰り出し、この搬送部18内を搬送する紙幣を識別部19で識別し、正常紙幣と識別された紙幣は出金部14に搬送し、リジェクト紙幣と識別された紙幣はリジェクトボックス16に搬送して回収する。【００６４】
また、補充時においては、入金部13に紙幣が投入されたことを投入センサ32で検知すると、制御部21の制御により、繰出機構29が動作して入金部14に投入された紙幣を１枚ずつ分離して搬送部18に繰り出し、搬送部18内の紙幣を搬送する。【００６５】
搬送部18内を搬送する紙幣を識別部19で識別し、制御部21の制御により、正常紙幣と識別された紙幣は該当する金種の収納庫20に収納し、リジェクト紙幣と識別された紙幣は出金部14に搬送して返却する。【００６６】
制御部21の制御により、識別部19で識別した補充額のデータは上位機22に送信する。【００６７】
また、回収時においては、上位機22からの回収指令により、制御部21の制御によって全ての収納庫20に収納されている紙幣を回収カセット17に搬送して移す。【００６８】
次に、紙幣投入枚数の仕様別の動作を説明する。【００６９】
図１(b)に示すように、操作に慣れない操作者（紙幣一括投入の権限を有しない操作者）が紙幣処理装置11を使用する場合には、紙幣１枚投入仕様とする。この紙幣１枚投入仕様では、開口規制部材37が入金口部27の溝部38に嵌め込まれ、錠本体44が固定位置に回動されていて両側の固定部材46が入金口部27の溝部38の固定溝50に進入しており、開口規制部材37が入金口部27に固定されている。この固定状態では、開口規制部材37が紙幣１枚投入用開口寸法位置に位置し、開口規制部材37の下面のガイド面39と底面部25との間の間隔が紙幣１枚投入用開口寸法となる。【００７０】
そのため、操作に慣れない操作者は入金口13aに対して紙幣を１枚ずつ投入することになり、操作に慣れない操作者の場合に、紙幣一括投入を避け、繰出機構29や搬送部18での紙幣詰まりの発生を低減できる。【００７１】
そして、この紙幣１枚投入仕様としている状態では、操作に慣れない操作者は鍵手段43を持っていないため、紙幣一括投入仕様に変更することはできず、必ず紙幣１枚投入仕様が維持される。【００７２】
また、図１(a)に示すように、紙幣一括投入の権限を有する操作者が複数枚の紙幣を補充する場合には、その操作者が持つ鍵手段43を開口規制部材37の錠本体44に差し込んで固定位置から固定解除位置に回動操作する。この操作に連動して両側の固定部材46が入金口部27の溝部38の固定溝50から外れ、開口規制部材37の固定が解除される。固定解除された開口規制部材37を入金口部27から取り外すことにより、入金口13aの投入紙幣厚さ方向の開口寸法が紙幣一括投入用開口寸法となる。【００７３】
そのため、紙幣一括投入の権限を有する操作者は入金口13aに対して複数枚の紙幣を一括投入することができ、そして、紙幣処理装置11では、制御部21の制御により、入金口13aに投入された紙幣を１枚ずつ分離して取り込む補充処理を、投入センサ32が入金口13aに投入された紙幣を検知しなくなるまで自動的に行う。この補充処理中には操作者は他の作業を並行して行え、紙幣補充時の効率を高めることができる。【００７４】
このように、入金口13aの投入紙幣厚さ方向の開口寸法を紙幣１枚投入用開口寸法と紙幣一括投入用開口寸法とに変更する開口規制部材37を、固定手段46により紙幣１枚投入用開口寸法位置に固定できるため、開口規制部材37の紙幣一括投入用開口寸法位置への変更を確実に規制でき、これにより、操作に慣れない操作者の場合には紙幣１枚投入仕様として入金時の紙幣詰まりの発生を低減するとともに、紙幣補充を行う紙幣一括投入の権限を有する操作者の場合には紙幣一括投入仕様として紙幣補充時の効率を高めることができる。【００７５】
また、操作者が紙幣処理装置11を操作する前には、予め、権限確認手段23により操作者の権限を確認して処理を可能としている。【００７６】
紙幣一括投入の権限を有しない操作者と確認された場合には、図示しない開口規制部材位置検知手段が開口規制部材37を検知していれば、繰出機構29を動作させて１枚の紙幣を搬送部18に送り出し、また、補充処理後に開口規制部材37を入金口部27に装着し忘れたときなど、図示しない開口規制部材位置検知手段が開口規制部材37を検知していなければ、繰出機構29を動作させず、紙幣一括投入による紙幣詰まりの発生を防止できる。【００７７】
紙幣一括投入の権限を有する操作者と確認された場合には、図示しない開口規制部材位置検知手段が開口規制部材37を検知していなくても、投入センサ32が入金口13aに投入された紙幣を検知しなくなるまで繰出機構29を動作させる。【００７８】
次に、図７に第２の実施の形態を示す。【００７９】
この第２の実施の形態は、開口規制部材37を入金口部27に対して紙幣１枚投入用開口寸法位置と紙幣一括投入用開口寸法位置との間で揺動可能に設けた構成である。【００８０】
このように構成することにより、第１の実施の形態と同様の作用効果を奏するうえに、紙幣１枚投入仕様にあるのか紙幣一括投入仕様にあるのかを確認しやすくできるとともに、開口規制部材37が入金口部27から外れないために開口規制部材37の落下による破損や紛失を防止できる。【００８１】
次に、図８に第３の実施の形態を示す。【００８２】
この第３の実施の形態は、第２の実施の形態と同様に、開口規制部材37を入金口部27に対して紙幣１枚投入用開口寸法位置と紙幣一括投入用開口寸法位置との間で揺動可能に設けた構成である。【００８３】
この開口規制部材37は、断面略Ｌ字形で、その一端が軸61で入金口部27に対して揺動可能に軸支され、他端が入金口13aに対して上方から進退可能で、入金口13aの投入紙幣厚さ方向の開口寸法を紙幣１枚投入用開口寸法と紙幣一括投入用開口寸法とに変更可能としている。この開口規制部材37の他端には、紙幣１枚投入用開口寸法位置に位置するときに、投入される紙幣を底面部25との間に導く傾斜面62が形成されている。【００８４】
この開口規制部材37は、軸61に装着された付勢手段としてのねじりばね63により、入金口13aを開放する上方の紙幣一括投入用開口寸法位置へ向けて付勢されている。【００８５】
固定手段41は、駆動手段としてのソレノイド64、およびこのソレノイド64の動作に応じて開口規制部材37を紙幣１枚投入用開口寸法位置で固定する例えばロッドなどの固定部材65を備えている。このソレノイド64のオフ時には付勢手段としてのばね66の付勢によって固定部材65が開口規制部材37を紙幣１枚投入用開口寸法位置で固定する固定位置に向けて突出し、ソレノイド64のオン時にはばね66の付勢に抗して固定部材65が開口規制部材37の固定を解除する固定解除位置に後退する。なお、開口規制部材37には、紙幣１枚投入用開口寸法位置で固定部材65が係合する固定孔などが設けられている。【００８６】
また、制御部21は、紙幣一括投入の権限を有する操作者であるか確認する権限確認手段23により紙幣一括投入の権限を有する操作者と確認された場合には、開口規制部材37の固定を解除して開口規制部材37の位置を紙幣一括投入用開口寸法位置へ変更可能とする機能を有している。【００８７】
そして、権限確認手段23により操作者の権限を確認し、紙幣一括投入の権限を有しない操作者と確認された場合には、制御部21の制御により、図８(a)に示すように、予め紙幣１枚投入仕様としている状態が保持される。この紙幣１枚投入仕様では、ソレノイド64がオフしており、ばね66の付勢によって固定部材65が開口規制部材37を紙幣１枚投入用開口寸法位置に固定された状態にある。そのため、紙幣一括投入の権限を有しない操作者は、紙幣１枚投入用開口寸法位置に固定されている開口規制部材37を開いて、紙幣一括投入仕様に変更することはできず、必ず紙幣１枚投入仕様が維持される。【００８８】
また、権限確認手段23により操作者の権限を確認し、紙幣一括投入の権限を有する操作者と確認された場合には、制御部21の制御により、図８(b)に示すように、ソレノイド64を一時的にオンし、固定部材65が開口規制部材37から外れて固定を解除することにより、ねじりばね63の付勢によって開口規制部材37が上方の紙幣一括投入用開口寸法位置に自動的に開く。そのため、紙幣一括投入の権限を有する操作者は、開口規制部材37を開く操作をすることなく、入金口13aに紙幣を複数枚一括投入することができる。なお、紙幣一括投入の権限を有する操作者と確認された場合、自動的にソレノイド64をオンしてもよいし、操作部15の操作による一括投入の指示によりソレノイド64をオンしてもよい。操作部15を操作する場合には、例えば、操作部15で紙幣の補充など一括投入を伴う項目を選択したり、開口規制部材37を直接開放するための項目を選択することにより、上位機22からの指令でソレノイド64をオンする。【００８９】
ソレノイド64が一時的にオンした後に、オフすると、ばね66の付勢で固定部材65が開口規制部材37へ向けて突出する。【００９０】
紙幣一括投入の権限を有する操作者は、紙幣補充処理後に開口規制部材37を下方の紙幣１枚投入用開口寸法位置に手動で戻す。この開口規制部材37が紙幣１枚投入用開口寸法位置に移動したときに、固定部材65がばね66の付勢で開口規制部材37に係合して固定する。【００９１】
このように、紙幣一括投入の権限を有する操作者と確認された場合に、開口規制部材37を紙幣１枚投入用開口寸法位置に対して自動的に固定および固定解除できる。【００９２】
また、この場合にも、紙幣一括投入の権限を有しない操作者と確認された場合には、図示しない開口規制部材位置検知手段が紙幣１枚投入用開口寸法位置に位置する開口規制部材37を検知していれば、繰出機構29を動作させて１枚の紙幣を搬送部18に送り出し、また、補充処理後に開口規制部材37を紙幣１枚投入用開口寸法位置に戻し忘れたときなど、図示しない開口規制部材位置検知手段が開口規制部材37を検知していなければ、繰出機構29を動作させず、紙幣一括投入による紙幣詰まりの発生を防止できる。【００９３】
紙幣一括投入の権限を有する操作者と確認された場合には、図示しない開口規制部材位置検知手段が開口規制部材37を検知していなくても、投入センサ32が入金口13aに投入された紙幣を検知しなくなるまで繰出機構29を動作させる。【００９４】
なお、ねじりばね63は用いずに、固定解除された開口規制部材37を手動で開くようにしてもよい。【００９５】
次に、図９に第４の実施の形態を示す。【００９６】
この第４の実施の形態は、開口規制部材37を入金口13aの投入紙幣厚さ方向に平行に移動させることにより、開口規制部材37の位置を紙幣１枚投入用開口寸法位置と紙幣一括投入用開口寸法位置との間で変更可能とした構成である。【００９７】
この開口規制部材37は、ブロック状に形成されていて、下面には底面部25との間に入金口13aを構成するガイド面39が形成され、このガイド面39の前側に投入される紙幣をガイド面39の下側に導く傾斜面40が形成されている。【００９８】
入金口部27の上面にカバー69が配設され、このカバー69と底面部25とによってねじ軸70が軸方向を投入紙幣厚さ方向と平行として回転自在に配設され、このねじ軸70に開口規制部材37が螺合されている。ねじ軸70は駆動手段としてのモータ71で正逆回転駆動され、このねじ軸70と開口規制部材37との螺合を介して、開口規制部材37が紙幣１枚投入用開口寸法位置と紙幣一括投入用開口寸法位置との間で移動する。【００９９】
また、制御部21は、紙幣一括投入の権限を有する操作者であるか確認する権限確認手段23により紙幣一括投入の権限を有する操作者と確認された場合には、モータ71を制御して開口規制部材37を紙幣１枚投入用開口寸法位置から紙幣一括投入用開口寸法位置へ変更する機能を有している。【０１００】
そして、権限確認手段23により操作者の権限を確認し、紙幣一括投入の権限を有しない操作者と確認された場合には、制御部21の制御により、図９(a)に示すように、予め紙幣１枚投入仕様としている状態が保持される。この紙幣１枚投入仕様では、モータ71がオフしており、開口規制部材37を紙幣１枚投入用開口寸法位置に固定した状態にある。そのため、紙幣一括投入の権限を有しない操作者は、紙幣１枚投入用開口寸法位置に固定されている開口規制部材37を上方へ移動させて、紙幣一括投入仕様に変更することはできず、必ず紙幣１枚投入仕様が維持される。【０１０１】
また、権限確認手段23により操作者の権限を確認し、紙幣一括投入の権限を有する操作者と確認された場合には、制御部21の制御により、図９(b)に示すように、モータ71を駆動し、開口規制部材37を上方の紙幣一括投入用開口寸法位置に自動的に移動させる。そのため、紙幣一括投入の権限を有する操作者は、開口規制部材37を開くなどの操作をすることなく、入金口13aに紙幣を複数枚一括投入することができる。なお、紙幣一括投入の権限を有する操作者と確認された場合、自動的にモータ71を駆動してもよいし、操作部15の操作による一括投入の指示によりモータ71を駆動してもよい。操作部15を操作する場合には、例えば、操作部15で紙幣の補充など一括投入を伴う項目を選択したり、開口規制部材37を直接開放するための項目を選択することにより、上位機22からの指令でモータ71を駆動して開口規制部材37を上昇させる。【０１０２】
また、権限確認手段23により操作者の権限を確認し、紙幣一括投入の権限を有しない操作者と確認された場合には、制御部21の制御により、図９(a)に示すように、モータ71を駆動し、開口規制部材37を下方の紙幣１枚投入用開口寸法位置に自動的に移動させる。これにより、紙幣一括投入の権限を有しない操作者の場合には、必ず紙幣１枚投入仕様に自動的に変更される。【０１０３】
このように、紙幣一括投入の権限を有する操作者と確認された場合に、開口規制部材37を紙幣一括投入用開口寸法位置を自動的に変更でき、また、紙幣一括投入の権限を有しない操作者と確認された場合に、開口規制部材37を紙幣１枚投入用開口寸法位置に自動的に変更して固定できる。【０１０４】
次に、図１０に第５の実施の形態を示す。【０１０５】
この第５の実施の形態は、図９に示す第４の実施の形態の機構において、制御部21が紙幣一括投入仕様と紙幣１枚投入仕様とに応じた制御をするものである。【０１０６】
入金部13には、開口規制部材37、および入金口13aに投入された紙幣を検知する投入センサ32が配設されている。搬送部18には、入金口13aに投入された紙幣を１枚ずつ搬送部18内に繰り出す繰出機構29、およびこの繰出機構29で搬送部18内に１枚ずつ繰り出された紙幣の通過を検知する通過センサ33が配設されている。【０１０７】
そして、制御部21は、紙幣一括投入の権限を有する操作者であるか確認する権限確認手段23により紙幣一括投入の権限を有する操作者と確認された場合には、繰出機構29を動作させるとともに投入センサ32が紙幣を検知しなくなるまで繰出機構29を動作させ、また、紙幣一括投入の権限を有しない操作者と確認された場合には、繰出機構29を動作させるとともに通過センサ33が１枚の紙幣の通過を検知したら繰出機構29の動作を停止させ、その後、投入センサ32が紙幣を検知しなくなってから再び投入センサ32が紙幣を検知すれば繰出機構29を動作させる機能を有している。【０１０８】
すなわち、権限確認手段23により紙幣一括投入の権限を有する操作者と確認された場合、入金口13aに紙幣が投入されたことを投入センサ32で検知すると、繰出機構29を動作させて入金口13aの紙幣を１枚ずつ搬送部18に繰り出すとともに、投入センサ32が紙幣を検知しなくなるまで繰出機構29を継続して動作させる。これにより、紙幣補充などを行う操作に慣れた紙幣一括投入の権限を有する操作者の場合には紙幣一括投入仕様として紙幣補充時の効率を高めることができる。【０１０９】
また、権限確認手段23により紙幣一括投入の権限を有しない操作者と確認された場合、入金口13aに紙幣が投入されたことを投入センサ32で検知すると、繰出機構29を動作させるとともに通過センサ33が１枚の紙幣の通過を検知したら繰出機構29の動作を一旦停止させる。これにより、操作に慣れない紙幣一括投入の権限を有しない操作者の場合には、入金口13aに紙幣が複数枚一括投入されても１枚の紙幣のみしか搬送部18に送り出さないため、開口規制部材37の紙幣１枚投入用開口寸法位置への移動による機械的な紙幣１枚投入仕様に加えて、制御的にも紙幣１枚投入仕様として入金時の紙幣詰まりの発生を確実に低減できる。【０１１０】
そして、制御部21の制御により、搬送部18の通過センサ33が１枚の紙幣の通過を検知して繰出機構29の動作を一旦停止した後、操作者により入金口13aに残る紙幣を取り出して投入センサ32が紙幣を検知しなくなってから、操作者により入金口13aに紙幣を再び投入して投入センサ32が紙幣を検知すれば、上述のように繰出機構29を動作させるため、紙幣の再投入によってさらに１枚の紙幣を搬送部18に繰り出すことができる。【０１１１】
なお、このような制御部21による紙幣一括投入仕様と紙幣１枚投入仕様とに応じた制御は、第４の実施の形態の構成に限らず、第１ないし第３の各実施の形態の構成にも適用でき、同様の作用効果を奏する。【０１１２】
また、このような制御部21による紙幣一括投入仕様と紙幣１枚投入仕様とに応じた制御は、前記各実施の形態のような開口規制部材37を備えた構成に付加することにより機械的および制御的に紙幣１枚投入仕様として入金時の紙幣詰まりの発生を確実に低減できるが、開口規制部材37を備えない構成において、このような制御のみを適用してた場合でも、紙幣１枚投入仕様として入金時の紙幣詰まりの発生を低減できる。【０１１３】
次に、図１１および図１２に第６の実施の形態を示す。【０１１４】
入金口部27の底面部25が入金口13aの前方へ向けて上昇傾斜し、この底面部25の前端部に複数の溝部81が入金口13aの幅方向に並設され、これら各溝部81の底面に前方へ向けて下降傾斜する傾斜面82が形成されている。【０１１５】
入金口部27の底面部25に対向して開口規制部材37が配設され、この開口規制部材37の前端部は傾斜面82の後端部と前端部との間の上方に配置されている。【０１１６】
そして、このように構成することにより、入金口部27上に液体をこぼした場合でも、開口規制部材37上や開口規制部材37より前側にこぼれた液体は、傾斜面82に落下し、この傾斜面82によって前方へ排出され、入金口13a内に入り込むのを防止できる。そのため、入金口13aに液体が侵入することによる繰出機構29や搬送部18の搬送機構などに対する影響を防止できる。【０１１７】
なお、開口規制部材37は、第２ないし第４の各実施の形態のように回動または上下方向に移動可能とする。また、入金口部27の底面部25は、入金口13aの前方へ向けて上昇傾斜する場合に限らず、水平でもよい。【０１１８】
また、権限確認手段23は、図５に示すように権限確認手段23が別体で上位機22に接続されている場合に限らず、権限確認手段23が上位機22自体に内蔵されている場合、権限確認手段23が別体で上位機22と紙幣処理装置11との両方に接続されている場合、権限確認手段23が紙幣処理装置11に内蔵されている場合のいずれでもよい。【０１１９】
また、操作部15は、紙幣処理装置11に設けられる場合に限らず、上位機22に設けられる場合、紙幣処理装置11および上位機22とは別体に設けられてこれら紙幣処理装置11または上位機22に接続される場合などのいずれでもよい。
【産業上の利用可能性】
【０１２０】
本発明は、顧客が商品登録と精算を行うセルフレジシステム、顧客が精算を行うセルフ決済システム、およびレジに限定せず紙幣入金機能を持った紙幣処理装置などに利用される。
【図１】
2008139584.tif 000003
【図２】
2008139584.tif 000004
【図３】
2008139584.tif 000005
【図４】
2008139584.tif 000006
【図５】
2008139584.tif 000007
【図６】
2008139584.tif 000008
【図７】
2008139584.tif 000009
【図８】
2008139584.tif 000010
【図９】
2008139584.tif 000011
【図１０】
2008139584.tif 000012
【図１１】
2008139584.tif 000013
【図１２】
2008139584.tif 000014
【国際調査報告】
2008139584.tif 000015
2008139584.tif 000016